(57)【要約】【課題】複数の毛を保持する線状芯部材の両端部を非連結状態としたたわしにおいて、洗浄に供される部分の太さをなるべく均一としつつ、簡易な構成で、線状芯部材の端部による洗浄対象物の傷付を抑制することを目的とする。【解決手段】たわし１０は、複数の毛１２と、線状芯部材２０とを備える。線状芯部材２０は、複数の毛１２を挟込む一対の線状部分を含み、その両端部が非連結状態とされている。一対の線状部分の両端部のうちの少なくとも一方が、複数の毛１２を挟込む部分の終端部又はその終端部よりも外側位置で折返すように曲げられた端部曲げ部２７、２８を含む。【選択図】図１０
2016047224.tif 000002
【特許請求の範囲】
【請求項１】
複数の毛と、
前記複数の毛を挟込む一対の線状部分を含み、両端部が非連結状態とされた線状芯部材と、
を備え、
前記線状芯部材の両端部のうちの少なくとも一方が、前記複数の毛を挟込む部分の終端部又はその終端部よりも外方側の位置で折返すように曲げられた端部曲げ部を含む、たわし。
【請求項２】
請求項１記載のたわしであって、
前記線状芯部材の両端部のうちの少なくとも一方において、前記一対の線状部分のうちの一方の端部が他方の端部よりも長く延出しており、
前記端部曲げ部は、前記一方の線状部分の端部が、前記他方の線状部分の端部に被さるように曲げられることにより形成されている、たわし。
【請求項３】
請求項２記載のたわしであって、
前記端部曲げ部の手前において、前記一対の線状部分の一方の端部と前記一対の線状部分の他方の端部との間に前記複数の毛が挟込まれている、たわし。
【請求項４】
請求項１記載のたわしであって、
前記端部曲げ部は、前記一対の線状部分を、前記複数の毛を挟込む部分とその端部外方側の毛を挟込まない部分との境界で折返すように曲げることにより形成されている、たわし。
【請求項５】
請求項４記載のたわしであって、
前記端部曲げ部の先端部において、前記一対の線状部分のうちの一方の端部が他方の端部よりも長く延出しており、
前記一方の線状部分の端部が、前記他方の線状部分の端部に被さるように曲げられている、たわし。
【請求項６】
請求項１〜請求項５のいずれか１項に記載のたわしであって、
前記たわしは、弧状に湾曲する湾曲部と、この湾曲部の両端部から延出する一対の延出部とを含み、
前記端部曲げ部は、前記一対の延出部間側に曲げられている、たわし。
【請求項７】
請求項１〜請求項６のいずれか１項に記載のたわしであって、
前記線状芯部材は、初期形状を記憶した形状記憶合金によって形成されている、たわし。
【発明の詳細な説明】
【技術分野】
【０００１】
この発明は、洗浄のために用いられるたわしに関する。
【背景技術】
【０００２】
特許文献１〜４は、多数の繊維を束ねた状態で保持する芯線の両端が自由端とされたたわしを開示している。
【０００３】
特に、特許文献１では、芯線の両端の端止部は、曲げ返されており、さらに、折り返し部の先端部分は丸められている。
【先行技術文献】
【特許文献】
【０００４】
【特許文献１】特開平１０−２３４６３６号公報
【特許文献２】実開昭６１−１５１６５５号公報
【特許文献３】実開平０４−１０８０６０号公報
【特許文献４】実開昭５０−１２７９６３号公報
【発明の概要】
【発明が解決しようとする課題】
【０００５】
ところで、たわしでは、多数の繊維が一対の線材間に挟まれた状態で保持されている。また、一対の線材の端部は、捻られており、これにより、一対の線材間からの繊維の脱落が抑制されている。
【０００６】
しかしながら、芯線の両端が自由端とされたたわしにおいて、一対の線材の端部が捻られたままの状態であると、線材の端部が外方に露出してしまう。すると、線材の端部が洗浄対象物を傷つけてしまう恐れがある。
【０００７】
特許文献１では、折り返し部の先端部分が丸められているが、そうすると、折返し部の先端部で、繊維束が太くなってしまう。繊維束が部分的に太くなってしまうと、たわしの側方部分を使って広範な部分を洗浄することが困難となってしまう。
【０００８】
また、特許文献２及び３では、芯材の先端部を止め具又は突部に埋設しているが、この場合、芯材の先端部を覆う別部材が必要となってしまう。
【０００９】
そこで、本発明は、複数の毛を保持する線状芯部材の両端部を非連結状態としたたわしにおいて、洗浄に供される部分の太さをなるべく均一としつつ、簡易な構成で、線状芯部材の端部による洗浄対象物の傷付を抑制することを目的とする。
【課題を解決するための手段】
【００１０】
上記課題を解決するため、第１の態様に係るたわしは、複数の毛と、前記複数の毛を挟込む一対の線状部分を含み、両端部が非連結状態とされた線状芯部材と、を備え、前記線状芯部材の両端部のうちの少なくとも一方が、前記複数の毛を挟込む部分の終端部又はその終端部よりも外方側の位置で折返すように曲げられた端部曲げ部を含む。
【００１１】
第２の態様は、第１の態様に係るたわしであって、前記線状芯部材の両端部のうちの少なくとも一方において、前記一対の線状部分のうちの一方の端部が他方の端部よりも長く延出しており、前記端部曲げ部は、前記一方の線状部分の端部が、前記他方の線状部分の端部に被さるように曲げられることにより形成されているものである。
【００１２】
第３の態様は、第２の態様に係るたわしであって、前記端部曲げ部の手前において、前記一対の線状部分の一方の端部と前記一対の線状部分の他方の端部との間に前記複数の毛が挟込まれているものである。
【００１３】
第４の態様は、第１の態様に係るたわしであって、前記端部曲げ部は、前記一対の線状部分を、前記複数の毛を挟込む部分とその端部外方側の毛を挟込まない部分との境界で折返すように曲げることにより形成されているものである。
【００１４】
第５の態様は、第４の態様に係るたわしであって、前記端部曲げ部の先端部において、前記一対の線状部分のうちの一方の端部が他方の端部よりも長く延出しており、前記一方の線状部分の端部が、前記他方の線状部分の端部に被さるように曲げられているものである。
【００１５】
第６の態様は、第１〜第５のいずれかの１つの態様に係るたわしであって、前記たわしは、弧状に湾曲する湾曲部と、この湾曲部の両端部から延出する一対の延出部とを含み、前記端部曲げ部は、前記一対の延出部間側に曲げられているものである。
【００１６】
第７の態様は、第１〜第６のいずれか１つの態様に係るたわしであって、前記線状芯部材は、初期形状を記憶した形状記憶合金によって形成されているものである。
【発明の効果】
【００１７】
第１の態様に係るたわしによると、線状芯部材両端部が非連結状態とされている。また、前記線状芯部材の両端部のうちの少なくとも一方が、前記複数の毛を挟込む部分の終端部又はその終端部よりも外方側の位置で折返すように曲げられた端部曲げ部を含む。このため、洗浄に供される部分の太さをなるべく均一としつつ、簡易な構成で、線状芯部材の端部による洗浄対象物の傷付を抑制することができる。
【００１８】
第２の態様によると、一方の線状部分の端部を、前記他方の線状部分の端部に被さるように曲げることで、端部曲げ部を形成しているため、洗浄に供される部分の太さをより確実に均一に保ちつつ、容易な曲げ作業によって、端部曲げ部を形作ることができる。
【００１９】
第３の態様によると、端部曲げ部の近くで毛を挟込むことができ、端部曲げ部が露出し難くなる。
【００２０】
第４の態様によると、線状芯部材が複数の毛からより突出し難くなる。
【００２１】
第５の態様によると、端部曲げ部の先端部において、線状部分の切断端部が露出し難くなる。
【００２２】
第６の態様によると、一対の延出部の外側で、線状芯部材の硬い部分が突出することが、より確実に抑制される。
【００２３】
第７の態様によると、洗浄対象物の形状等にあわせて線状芯部材を変形させることで、洗浄対象物を容易に洗浄することができ、また、初期形状にも容易に復元できる。
【図面の簡単な説明】
【００２４】
【図１】実施形態に係るたわしを示す概略平面図である。
【図２】たわしの製造工程を示す説明図である。
【図３】たわしの製造工程を示す説明図である。
【図４】たわしの製造工程を示す説明図である。
【図５】一方の端部曲げ部の加工工程を示す説明図である。
【図６】一方の端部曲げ部を示す説明図である。
【図７】他方の端部曲げ部の加工工程を示す説明図である。
【図８】他方の端部曲げ部を示す説明図である。
【図９】変形例に係る端部曲げ部の加工工程を示す説明図である。
【図１０】変形例に係る端部曲げ部を示す説明図である。
【図１１】他の変形例に係るたわしを示す説明図である。
【図１２】さらに他の変形例に係るたわしの製造工程を示す説明図である。
【図１３】同上の変形例に係るたわしの製造工程を示す説明図である。
【図１４】同上の変形例に係るたわしを示す説明図である。
【図１５】同上の変形例に係るたわしを示す説明図である。
【図１６】さらに他の変形例に係るたわしを示す説明図である。
【図１７】他の参考形態に係るたわしを説明するための図である。
【図１８】他の参考形態に係るたわしを説明するための図である。
【図１９】他の参考形態に係るたわしを説明するための図である。
【図２０】他の参考形態に係るたわしを説明するための図である。
【発明を実施するための形態】
【００２５】
以下、実施形態に係るたわしについて説明する。図１はたわし１０を示す概略平面図である。
【００２６】
たわし１０は、複数の毛１２と、線状芯部材２０とを備える。
【００２７】
毛１２としては、シュロの毛、椰子の毛、樹脂製の細長い毛等が用いられる。毛１２は、シュロの毛、椰子の毛等の植物性の毛であることが好ましい。植物性の毛は、熱に比較的強いからである。複数の毛１２のそれぞれの延在方向中間部は、線状芯部材２０によって挟込まれて保持されている。複数の毛１２の両端部は、線状芯部材２０を中心としてその周囲に延出している。そして、本たわし１０を洗浄対象物に押付けることで、複数の毛が洗浄対象物に押付けられ、もって、洗浄対象物の表面を擦り洗いできるようになっている。
【００２８】
線状芯部材２０は、線状形状に形成され、弧状に湾曲する湾曲部２２と、その湾曲部２２の両端部から延出する一対の延出部２４とを備える形状に曲げられた構成とされている。
【００２９】
また、線状芯部材２０は、一対の線状部分３０を含む（図２〜図８参照）。線状芯部材２０は、一対の線状部分３０の間に複数の毛１２を挟み込んで保持している。この構成については、後で詳述する。なお、図１では、線状芯部材２０は、単純化して１本の太線として描かれている。
【００３０】
湾曲部２２は、弧状に湾曲する線状形状に形成されている。湾曲部２２は、半円弧状であってもよいし、それよりも大きい中心角の弧又は小さい中心角の弧を描く形状であってもよい。また、湾曲部２２の全体において均一な曲率半径である必要はない。
【００３１】
湾曲部２２の両端部から一対の延出部２４が延出している。延出部２４のうち後述する端部曲げ部２７、２８を除く延出本体部分２４ａは、直線状又は緩やかな弧を描く線状形状に形成されている。延出本体部分２４ａが緩やかな弧を描く場合であっても、その外側端部が湾曲部２２側の端部を向かない程度の湾曲度合に設定されている。延出本体部分２４ａは、湾曲部２２よりも緩やかで、かつ、外方に凸となる弧を描く線状形状に形成されている。ここでは、一対の延出本体部分２４ａは、湾曲部２２の両端部から同方向に向けて、互いに間隔をあけて並行状に延出している。一対の延出本体部分は、直線状に延びる形状であってもよいし、内方に凸となる弧状を描く線状形状に形成されていてもよいし、また、内方に凸となる弧状を描く部分と外方に凸となる弧状を描く部分とが複合的に組合わされた形状であってもよい。
【００３２】
一対の延出部２４の先端部は、非連結状態とされている。つまり、線状芯部材２０の両端部は非連結状態とされている。ここでは、一対の延出部２４の先端部間には隙間が設けられている。もっとも、一対の延出部の先端部が非連結状態である場合には、一対の延出部の先端部が接触しており、人手によって一対の延出部の先端部を容易に離すことができる場合を含む。
【００３３】
本線状芯部材２０は、弾性変形可能であり、かつ、弾性変形可能な範囲を超えると塑性変形可能な線状の部材によって形成されていることが好ましい。かかる線状の部材は、ステンレス、鉄等の針金によって構成することができる。通常、線状芯部材２０を構成する針金の材質、太さ等を調整することで、弾性変形可能な範囲を調整することができる。
【００３４】
一対の延出部２４のうちの少なくとも一方は、端部曲げ部２７、２８を含む。ここでは、一対の延出部２４の一方が端部曲げ部２７を含み、他方の延出部２４が端部曲げ部２８を含んでいる。
【００３５】
端部曲げ部２７、２８は、一対の延出部２４のうち複数の毛１２を挟込む延出本体部分２４ａの終端部又はその終端部よりも外方側の位置で、その延出部２４の基端側（湾曲部２２側）に向うようにＵ字状に曲げられることによって形成されている。このため、一対の延出部２４の最先端部が延出部２４の基端側を向いており、一対の延出部２４の端部外方に向かないようになっており、端部曲げ部２７、２８のうち半円弧状を描く部分が一対の延出部２４の端部外方を向いている。
【００３６】
なお、ここでは、延出部２４において端部曲げ部２７、２８を形成するための曲げ箇所は、一対の延出部２４のうち複数の毛１２を挟込む延出本体部分２４ａの端部よりも外方側の位置である。曲げ箇所は、例えば、一対の延出部２４の外側最先端部から１〜９ｍｍ、より好ましくは、２〜６ｍｍ程度離れた位置とするとよい。
【００３７】
また、端部曲げ部２７、２８のうちの最先端部は、折曲げられて複数の毛１２の中に入り込んでいることが好ましいが、これは必須ではない。
【００３８】
一対の延出部２４のうち複数の毛１２を挟込む延出本体部分２４ａは、折返すように曲げられず、直線状又は緩やかな弧状を描く状態に維持されている。このため、延出本体部分２４ａによって挟込んで保持された毛１２によって構成される洗浄に供される部分の太さが、なるべく均一となるように維持されている。
【００３９】
また、上記端部曲げ部２７、２８は、上記一対の延出部２４間に位置するように曲げられている。すなわち、一対の延出部２４の端部は、互いに相手側の延出部２４側に向った後、それぞれの基端部に向うように曲げられている。このため、端部曲げ部２７、２８は、一対の延出部２４を結ぶ方向において両側外方には突出せず、一対の延出部２４の間に向けて突出している。
【００４０】
このたわし１０の製造方法例について説明する。
【００４１】
まず、図２に示すように、針金２１をその延在方向中間部で曲げて、一対の線状部分３０を平行状態に配設する。ここでは、針金２１の中間部をＵ字状に折曲げた後、そのＵ字状折曲げ箇所を１回又は複数回捻っている。そして、一定長さに切揃えられた複数の毛１２を、一対の線状部分３０間に挿入していく。これにより、多数の毛１２の延在方向中間部が一対の線状部分３０間に挟み込まれ、当該多数の毛１２が一対の線状部分３０間でその延在方向に沿って並ぶ状態で保持される。
【００４２】
この後、図３に示すように、一対の線状部分３０の端部（針金２１の両端部）を１回又は複数回捻って、毛１２がその端部から抜けないように保持される。
【００４３】
次に、図４に示すように、一対の線状部分３０の一端部に対してその他端部を回転させて、一対の線状部分３０の延在方向中間部を捻る。これにより、一対の線状部分３０が撚り合わされ、複数の毛１２が一対の線状部分３０の撚り合せ部分を中心として放射状に散在するようになり、各毛１２の長さに応じた直径の棒状体Ｂが形成される。なお、この状態で、棒状体Ｂの外周囲に飛出す毛をなくするために、棒状体Ｂの外周囲を切揃えてもよい。なお、複数の毛１２が束になった状態で一対の線状部分３０間にきつく挟込まれると、毛１２の長手方向中間部は、一対の線状部分３０間に押込まれ、逆に、毛１２の両端部は、一対の線状部分３０の外方に向うように曲げられる。このため、一対の線状部分３０の両端部を観察すると、毛１２は、一対の線状部分３０の端部外側にも向くように曲げられる。
【００４４】
この後、棒状体Ｂが図１に示すように、湾曲部２２及び一対の延出部２４を有する形状に曲げられる。
【００４５】
また、図５及び図６に示すように、棒状体Ｂの一端部では、一対の線状部分３０のうち複数の毛１２を挟込む部分よりも外方に、当該毛１２を挟込まない部分が延出している。ここでは、針金２１の中間部をＵ字状に曲げてさらに捻った部分が、一方の延出部２４の外側端部にある、複数の毛１２を挟込まない部分である。この部分がＵ字状に曲げられることで、端部曲げ部２７が形成されている。
【００４６】
また、図７及び図８に示すように、棒状体Ｂの他端部では、一対の線状部分３０のうち複数の毛１２を挟込む部分よりも外方に、当該毛１２を挟込まない部分が延出している。ここでは、針金２１の両端部を揃えて捻った部分及びこれよりも外方部分が、他方の延出部２４の外側端部にある、複数の毛１２を挟込まない部分である。この部分がＵ字状に曲げられることで、端部曲げ部２８が形成されている。
【００４７】
なお、棒状体Ｂの端部において、一対の線状部分３０のうち捩られた部分が曲げられてもよいし、捩られた部分よりも先端側の部分が曲げられてもよい。
【００４８】
図９及び図１０は、変形例に係る端部曲げ部１２８を示している。
【００４９】
この例では、延出部２４に対応する延出部１２４において、一対の線状部分３０に対応する一対の線状部分１３０の一方の端部１３０ａが他方の端部１３０ｂよりも長く延出している。そして、その一方の端部１３０ａが、他方の端部１３０ｂに被さるようにＵ字状に曲げられることで、端部曲げ部１２８が形成されている。
【００５０】
なお、図１０に示す例において、一対の線状部分１３０は、複数の毛１２を挟込む部分と、この部分の外方に延出し当該毛１２を挟込まない部分１３０ｃとを備えている。後者の部分１３０ｃの基端部は、複数の毛１２を挟込む部分よりも捻られている。
【００５１】
毛からの線状部分１３０の突出をより抑制するために、図１１に示すように、複数１２の毛を挟込む部分の終端部の位置、より具体的には、複数の毛１２（毛１２の存在領域を２点鎖線で囲んで図示）を挟込む部分と、当該毛１２を挟込まない部分１３０ｃの基端部との境界で、一対の線状部分１３０を曲げて、端部曲げ部２２８を形成することが好ましい。
【００５２】
なお、この部分で線状部分１３０を曲げる際には、当該部分１３０ｃの捻りの程度を、前記部分１３０ｃのうち上記境界に近い部分を容易に曲げられることが可能な程度に設定しておくことが好ましい。そのためには、例えば、一対の線状部分１３０間に毛１２を挟込んだ状態に締付けるため、一対の線状部分１３０の端部をきつく捻り、この後、捻りを緩めるように、一対の線状部分１３０の端部を逆方向に捻る（例えば、２回程度）ようにしてもよい。
【００５３】
また、図１１に示す例においては、端部曲げ部２２８において、図９及び図１０に示す例と同様に、一対の線状部分１３０の一方の端部１３０ａが他方の端部１３０ｂよりも長く延出している。そして、その一方の端部１３０ａが、他方の端部１３０ｂに被さるようにＵ字状に曲げられることで、最先端側端部曲げ部１２８が形成されている。
【００５４】
これにより、端部曲げ部２２８の先端部においても、線状部材１３０の端部１３０ｂが外部に露出し難くなる。
【００５５】
なお、図６及び図８に示す端部においても、同様に、複数の毛１２を挟込む部分と、その外方の毛１２を挟込まない部分との境界で、線状部分３０が折返されてもよい。
【００５６】
図１２〜図１５はさらに他の変形例に係る端部曲げ部３２４を示している。図１２〜図１３は端部曲げ部３２４の製造工程を示しており、図１４及び図１５は端部曲げ部を示す説明図であり、図１５では個々の毛１２を省略しその集合体の輪郭線を示している。なお、各図において、線状芯部材３２０の状態を観察し易いように、一部の毛１２が図示されている。
【００５７】
この例では、線状芯部材２０に対応する線状芯部材３２０は、一対の線状部分３０に対応する一対の線状部分３３０を含む。
【００５８】
一対の線状部分３３０は、上記実施形態と同様に、複数の毛１２を挟込んだ状態で、１回又は複数回捻られている。これにより、大環状部３２２が直線的に連なった状態で連続的に形成され、それぞれの大環状部において複数の毛１２が一対の線状部分３３０間に挟み込まれるように保持されている。
【００５９】
また、一対の線状部分３３０の端部であって、複数の毛１２を挟込んだ部分より先端側の部分がさらに捻られている。この部分は、一対の線状部分３３０のうち毛１２を挟込んだ部分よりも小ピッチで螺旋を描くように捻られている（図１２参照）。
【００６０】
そして、複数の大環状部３２２のうち線状芯部材１０の最も端部側に位置する大環状部３２２ａにおいて、一方の線状部分３３０の端部が他方の線状部分３３０の端部よりも長く延出するように切断される。切断は、例えば、ニッパー等の工具によって行うことができる。ここでは、一方の線状部分３３０の端部が、最も端部側に位置する大環状部３２２ａにおいて線状芯部材３２０の延在方向外よりの位置で切断される。また、他方の線状部分３３０の端部が、最も端部側に位置する大環状部３２２ａにおいて線状芯部材３２０の延在方向中央位置で切断される。この状態で、最も端部側に位置する大環状部３２２ａは、部分的に開口する環状をなすことになるが、なるべく多くの毛１２が当該大環状部３２２ａにおいて保持された状態に保たれるようにする（図１３参照）。
【００６１】
この状態で、一方の線状部分３３０の端部（長い方）を、折返して、他方の線状部分３３０の端部（短い方）に被さるようにＵ字状に曲げることにより、端部曲げ部３２４が形成されている。この状態で、端部曲げ部３２４の手前において、一対の線状部分３３０の一方の端部と他方の端部との間に、複数の毛１２が挟込まれている（図１４及び図１５参照）。
【００６２】
この状態で、一方の線状部分３３０の端部（長い方）にある端部曲げ部３２４と、一方の線状部分３３０の端部のうち端部曲げ部３２４よりも手前側の部分との間に、毛１２が挟込まれていてもよい。また、一方の線状部分３３０の端部(長い方)にある端部曲げ部３２４と、他方の線状部分３３０の端部（短い方）との間に、毛１２が挟込まれていてもよい。
【００６３】
なお、ここで説明した本実施形態及び上記各変形例では、１本の針金２１を曲げた構成としたが、２本の針金を用いてもよい。この場合、２本の針金の両端部に、上記端部曲げ部２８又は端部曲げ部１２８と同様の端部曲げ部を形成するとよい。
【００６４】
以上のように構成されたたわし１０によると、線状芯部材２０の一対の延出部２４の先端部が非連結状態とされている。このため、一対の延出部２４を開いた状態で、線状芯部材２０の内周部に位置する毛１２に蛇口の注ぎ口等からの流水を注ぐことができる。これにより、線状芯部材２０の内周部において毛１２に付着したゴミ等を容易に洗い落すことができる。また、線状芯部材２０の内周部において毛１２に熱湯、消毒液等を注ぐことで、その部分の消毒、殺菌等を行うことができる。これにより、たわし１０の内周部をきれいに保つことができる。
【００６５】
また、一対の延出部２４の間において毛１２を非接触状態としておくことで、毛１２が外気に曝されやすくなり、毛１２が乾燥し易くなる。この点からも、たわし１０の内周部をきれいに保つことができる。
【００６６】
また、一対の延出部２４の間において毛１２を非接触状態としておくことで、複数の毛１２が一対の延出部２４の周りに均一な状態で散在し、部分的に密集して硬くなってしまうことが抑制される。これにより、たわし１０の周りの複数の毛１２の全体を、擦り洗いに適した状態に保つことができる。
【００６７】
また、一対の延出部２４の少なくとも一方が、複数の毛１２を挟込む延出本体部分２４ａの終端部又はその終端部よりも外方側の位置で、その延出部２４の基端側に向くように、折返すように曲げられている。このため、洗浄に供される部分の太さをなるべく均一な棒状に保つことができ、この部分を利用して、洗浄対象物の広範な部分を容易に洗浄できる。また、線状芯部材２０の端部が複数の毛１２から外方に突出し難くなり、線状芯部材２０の端部による洗浄対象物の傷付を抑制することができる。
【００６８】
特に、一対の線状部分３０の少なくとも一端部では、当該一対の線状部分３０の切断端部が生じてしまうところ、当該切断端部は比較的尖った形状となってしまう恐れがある。そこで、一対の延出部２４のうち、そのような切断端部を有する側の延出部２４の端部を曲げて、端部曲げ部２８、１２８を形成することで、そのような切断端部が延出部２４の内側を向き、外方にはみ出し難くなる。これにより、切断端部による洗浄対象物の傷付を抑制することができる。
【００６９】
特に、図９及び図１０に示す変形例のように、一方の線状部分１３０の端部１３０ａを、他方の線状部分１３０の端部１３０ｂの先端側に被さるように曲げることで、端部曲げ部１２８を形成すれば、容易な曲げ作業によって、端部曲げ部２８を形作ることができる。
【００７０】
そして、図１１に示すように、一対の線状部分１３０のうち毛１２を挟込む部分とその端部外方の毛を挟込まない部分１３０ｃとの境界で折返すように曲げることで、より確実に一対の線状部分１３０が外方に延出し難いようにすることができる。
【００７１】
また、端部曲げ部２７、２８、１２８は、一対の延出部２４間で曲るように形成されているため、一対の延出部２４両側外向き部分で、線状芯部材２０の硬い端部が突出してしまうことがより確実に抑制される。
【００７２】
また、図１２〜図１５に示す変形例によると、端部曲げ部３２４の近くで毛１２を挟込むことができ、端部曲げ部３２４が露出し難くなる。
【００７３】
｛変形例｝
図１６に示すたわし２１０のように、上記線状芯部材２０に対応する線状芯部材２２０が、湾曲部２２から一対の延出部２４が延出する形状を記憶した形状記憶合金によって形成された針金によって形成されていてもよい。
【００７４】
この場合、たわし２１０は、湾曲部２２の両端部から一対の延出部２４が延出する形状を保ったまま、洗浄対象物の洗浄に用いられる。そして、例えば、コップ等の深い洗浄対象物を洗浄する場合には、図１６の２点鎖線に示すように、たわし２１０を真っ直ぐな棒状に伸すように塑性変形させて、当該洗浄対象物を洗浄することができる。つまり、洗浄対象物の形状に合わせて、たわし２１０を塑性変形させることができる。そして、たわし２１０を塑性変形させて洗浄を行った後は、たわし２１０を熱湯に浸す等して、当該たわし２１０を元の形状、即ち、湾曲部２２から一対の延出部２４が延出する形状に戻すことができる。
【００７５】
この場合、形状記憶合金の変態点は、常温、又は、お湯を使った手作業による洗浄に適した温度を超える温度（例えば、６０〜１００度）であることが好ましい。これにより、たわし２１０を所望の形状に塑性変形させた状態で、お湯を用いて手作業によって洗浄することができる。そして、洗浄後には、たわし２１０を熱湯に浸して元の形状に戻すことができる。
【００７６】
また、たわし１０、２１０としては、洗浄対象物の大きさ、人の手の大きさ等に応じて、大中小、種々の大きさのものが準備されることが好ましい。また、線状芯部材２０、２２０の変形し易さについても、洗浄対象物の性質、作業者の握力等に応じて、複数のタイプのものが準備されることが好ましい。
【００７７】
また、本実施形態では、全体がＵ字状をなすたわしについて説明したが、その他、棒状、ハート型等をなすたわしであっても、毛を挟込む一対の線状部分の端部の構造として適用可能である。
【００７８】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【００７９】
｛他の参考形態｝
上記実施形態及び各変形例では、線状芯部材の両端部のうちの少なくとも一方を、複数の毛を挟込む部分の終端部又はその終端部よりも外方側の位置で折返すように曲げることによって、複数の毛を保持する線状芯部材の両端部を非連結状態としたたわしにおいて、洗浄に供される部分の太さをなるべく均一としつつ、簡易な構成で、線状芯部材の端部による洗浄対象物の傷付を抑制するようにした。
【００８０】
しかしながら、上記課題は、下記形態によっても実現可能である。
【００８１】
図１７〜図１９は、他の参考形態に係るたわし５１０を説明するための図である。図１７及び図１８はたわし５１０の製造工程を示す説明図であり、図１９はたわし５１０を示す説明図である。
【００８２】
このたわし５１０を製造するにあたっては、図１７に示すように、環状の線状部材５２１を準備する。線状部材５２１は、ステンレス、鉄等の線材が環状をなす構成とされている。線状部材５２１は、ステンレス、鉄等の線材がつなぎ目無く環状をなす構成であることが好ましい。かかる線状部材５２１は、例えば、板材を打抜くこと等によって形成することができる。線状部材５２１は、ステンレス、鉄等の線材の両端部が連結されることによって、環状をなしていてもよい。線材の両端部は、結び目を介して、或は、管状の連結金具を介して接続すればよい。この場合、線状部材５２１の連結部分は、後述するように直線状に配設した状態で、両端部間の中間部に配設されるようにすることが好ましい。
【００８３】
そして、図１８に示すように、上記線状部材５２１を、直線状に延し、その両端部がＵ字状をなすようにして、線状芯部材５２０とする。この線状芯部材５２０の各Ｕ字状をなす端部に、固定ピン６００を挿入する。固定ピン６００は、先端側に向けて徐々に細くなる細長い部材である。各ピン６００の先端部及び基端部は、支持部材６１０に形成された保持孔５１０ｈに挿入され、一定位置に支持されている。そして、線状芯部材５２０において、並行状態に配設された線状部分５２１ａ、５２１ａ間に複数の毛１２を配設し、一方の固定ピン６００に対して他方の固定ピン６００を相対回転させて、線状芯部材５２０を捻る。この後、固定ピン６００を抜去る。
【００８４】
線状芯部材５２０を、その中心周りに捻った状態では、並行状態に配設された線状部分５２１ａ、５２１ａが撚り合わされるように捻られ、複数の環状部５３０が連続的に連なる状態となり、各環状部５３０において線状部分５２１ａ、５２１ａ間に複数の毛１２が挟込まれるように保持された状態となる。この状態で、両端部の環状部５３０から固定ピン６００を抜くと、当該両端部の環状部５３０において固定ピン６００が存在する部分以外に保持されていた毛１２が、固定ピン６００が抜かれた跡の空間内にも広がる。このため、固定ピン６００を抜いた状態でも、両端部の環状部５３０において、線状部分５２１ａ、５２１ａ間に複数の毛１２が挟込まれるように保持された状態となる。固定ピン６００を抜いた空間に毛１２を配設するため、上記固定ピン６００を線状部材５２１の両端部にＵ字状部分に挿入した状態において、両端部の環状部５３０には、なるべく毛１２の密度を大きくするように保持することが好ましい。
【００８５】
そして、固定ピン６００を抜くと、線状芯部材５２０の一対の線状部分５２１ａが捻られると共に、直線状に連続する各環状部５３０で複数の毛１２が挟込んで保持された状態となる。これにより、たわし５１０が製造される。このたわし５１０は、図１に示すように、Ｕ字状に曲げられた形態とされることが好ましい。
【００８６】
このたわし５１０では、両端部の環状部５３０が毛１２を保持しており、また、当該環状部５３０の外側部分は、外側に向けて凸となるＵ字状をなすように曲げられている。このため、たわし５１０の両端部において、線状芯部材５２０の両端部が複数の毛１２内に隠れ、当該線状芯部材５２０の両端部が複数の毛１２から外方に突出し難くなる。また、線状芯部材５２０の両端部は、Ｕ字状を描いているため、当該両端部が他に部分にあたったとしても、線状対象物を傷つけ難い。
【００８７】
このため、複数の毛１２を保持する線状芯部材５２０の両端部を非連結状態としたたわし５１０において、洗浄に供される部分の太さをなるべく均一としつつ、簡易な構成で、線状芯部材の端部による洗浄対象物の傷付を抑制するができる。
【００８８】
なお、上記参考形態では、固定ピン６００を線状芯部材５２０の端部に挿入していたが、図２０に示すように、金属線、樹脂糸等の等の曲げ可能な線状固定部材６２０を線状芯部材５２０の端部に挿入し、その両端部を支持部材６３０に引っ掛けたり結び付ける等して連結するようにしてもよい。この場合、線状芯部材５２０に毛１２を保持させ、その一端部を他端部に対して相対回転させた跡に、線状固定部材６２０を切断して、当該線状固定部材６２０を線状芯部材５２０から外すとよい。
【００８９】
つまり、本参考形態にかかるたわし５１０は、毛１２を挟込む一対の線状部分５２１ａの一端部がＵ字状に曲げられた部分を介して繋がっており、そのＵ字状部分内に毛１２が保持された構成として把握することができる。そのような毛１２を保持するＵ字状部分は、線状芯部材の一端部のみに設けられていてもよいし、両端部に設けられていてもよい。前者の場合、線状芯部材の端部については、上記実施形態又は変形例と同様の構成が採用されてもよい。
【００９０】
かかるたわし５１０は、固定ピン６００又は線状固定部材６２０等の細長い固定部材を前記Ｕ字状部分に挿入し、この後、一対の線状部分５２１ａに毛１２を挟込む工程（ここでは、毛１２を一対の線状部分５２１ａ間に配設する工程、及び、一対の線状部分５２１ａを捻る工程とを含む）を実施し、その後、細長い固定部材を抜く工程とを経て製造することができる。
【符号の説明】
【００９１】
１０，２１０  たわし
１２  毛
２０，２２０  線状芯部材
２１  針金
２２  湾曲部
２４，１２４  延出部
２４ａ  延出本体部分
２７，２８，１２８，２２８  端部曲げ部
３０，１３０  線状部分
１３０ａ，１３０ｂ  線状部分の端部
【図１】
2016047224.tif 000003
【図２】
2016047224.tif 000004
【図３】
2016047224.tif 000005
【図４】
2016047224.tif 000006
【図５】
2016047224.tif 000007
【図６】
2016047224.tif 000008
【図７】
2016047224.tif 000009
【図８】
2016047224.tif 000010
【図９】
2016047224.tif 000011
【図１０】
2016047224.tif 000012
【図１１】
2016047224.tif 000013
【図１２】
2016047224.tif 000014
【図１３】
2016047224.tif 000015
【図１４】
2016047224.tif 000016
【図１５】
2016047224.tif 000017
【図１６】
2016047224.tif 000018
【図１７】
2016047224.tif 000019
【図１８】
2016047224.tif 000020
【図１９】
2016047224.tif 000021
【図２０】
2016047224.tif 000022